(57)【要約】  上表面が平面状に形成されて、この上表面にベンチマークが標示される標示プレートと、この標示プレートの上表面の背面から延設されて、建築物の床等の構造体に埋め込まれて標示プレートを固定するスタッドと、標示プレートの周囲に設けられて、構造体に塗布された塗料層に埋設される外周フランジとを備えるようにした。そして、標示プレートを建築物の構造体に配置した状態で、その標示プレートの上表面が、構造体に形成される塗料層の上表面のレベルと均しいか或いはその下方に位置するように設けるようにした。
2009119625.tif 000002
【特許請求の範囲】
【請求項１】
上表面が平面状に形成されて、この上表面にベンチマークが標示される標示プレートと、
前記標示プレートの上表面の背面から延設されて、建築物の構造体に埋め込まれて前記標示プレートを固定するスタッドと、
前記標示プレートの周囲に設けられて、構造体に形成される塗料層に埋設される外周フランジと、
を備え、
前記標示プレートを建築物の構造体に配置した状態で、その標示プレートの上表面が、構造体の塗料層の上表面レベルと均しいか或いは塗料層の上表面レベルよりも下方に位置するように設けられることを特徴とするベンチマーク標示具。
【請求項２】
前記外周フランジの上面は、その外周フランジの周方向に沿って形成された溝部を有することを特徴とする請求項１に記載したベンチマーク標示具。
【請求項３】
前記スタッドは、前記標示プレートの上表面の背面から延設されると共にこの延設方向と異なる方向に曲げられた折り曲げ部を有することを特徴とする請求項１に記載したベンチマーク標示具。
【請求項４】
前記標示プレートは、ステンレスにより構成され、前記スタッドは、炭素鋼により構成されると共に炭素鋼と比較して耐腐食性の高い材料により被覆されたことを特徴とする請求項１に記載したベンチマーク標示具。
【請求項５】
前記外周フランジは床面と平行に傾き設定したことを特徴とする請求項１に記載のベンチマーク標示具。
【請求項６】
前記外周フランジの上面を床面に対し傾きをもって設定したことを特徴とする請求項１に記載のベンチマーク標示具。
【請求項７】
前記外周フランジを複数個前記標示プレートの周囲に設けたことを特徴とする請求項１に記載のベンチマーク標示具。
【請求項８】
頭部の上表面が平面状に形成された皿ネジを用意し、この頭部の上表面にベンチマークを標示させ、
前記皿ネジを建築物の構造体に配置した状態で、その頭部の上表面が構造体に塗布される塗料層の上表面レベルと均しいか或いは塗料層の上表面レベルよりも下方に位置するように調節して、皿ネジのネジ部を構造材に嵌入させることを特徴とするベンチマーク標示方法。
【発明の詳細な説明】
【技術分野】
【０００１】
本発明は、建築物の施工にあたって壁材などの構造体を配置する際にその基準位置として設定されるベンチマーク技術に係り、特にベンチマークの標示具およびその標示方法に関する。
【背景技術】
【０００２】
従来、ベンチマーク標示具として、その設置や撤去の容易化を図ることを目的とし、建築物の構造体に釘止め或いはビス止めにより固定されるプレートと、そのプレートに着脱自在に取り付けられるベンチマーク情報シートとを備えたものが知られている（例えば、特許文献１（特開平09-089566号公報）参照）。【０００３】
建築物の施工現場では、構造体を配置するに際して基準位置が複数設定される。例えば屋内にて壁材を配置するとき、各フロアの床などに１つの基準位置が設定され、この基準位置を親とした基準位置が屋内の各所に設定される。かかる基準位置はベンチマークと呼ばれ、施工が行われる期間は、構造材の位置を定める上で重要な基準となる。特に、一般住宅に比べて施工に長期間を要する発電プラントなど大規模な建築物にあっては、ベンチマークが長期維持されるようベンチマーク標示具の固定性は高いものが要求される。【０００４】
従来のベンチマーク標示具にあっては、固定用のプレートが建築物の構造体に釘止め或いはビス止めされる。このため、建築物の施工に長期間を要しても、その施工期間中にベンチマークの設定位置を維持できる。【０００５】
しかしながら、建築物の施工に際してベンチマーク標示具が機材搬入の妨げとなったり構造体の外観品質を損なう等の理由で、施工中或いは施工完了後にベンチマーク標示具を構造体から取り外して撤去されることが多い。この撤去作業に課される作業負担は、ベンチマーク標示具を構造体に強固に固定するほど大きいものとなる。【０００６】
また、従来のベンチマーク標示具にあっては、釘止めやビス止めされた部位で構造体に亀裂を生じさせる可能性を高め、また、構造体の基材とベンチマーク標示具との境に間隙が形成されて構造体の水密性が損なわれ易い。すなわち、従来のベンチマーク標示具は、構造体に高い水密性が要求される施設の建築物に対し好ましい構成ではない。特に、原子力プラント等の放射性物質の取扱施設等では、床面や壁面に付着した放射性物質がその付着部位の深部まで浸透しないよう、構造体に対し高い水密性が要求される。このような施設に対しては、従来のベンチマーク標示具の適用は困難である。【０００７】
発明の開示
本発明は上記事情に鑑みてなされたもので、建築物の施工期間中に所期の設定位置が維持され、さらに、撤去作業が不要になると共に構造体の水密性が維持されるベンチマーク標示具およびベンチマーク標示方法を提供することを目的とする。【０００８】
上述した課題を解決するために、本発明に係るベンチマーク標示具では、上表面が平面状に形成されて、この上表面にベンチマークが標示される標示プレートと、前記標示プレートの上表面の背面から延設されて、建築物の構造体に埋め込まれて前記標示プレートを固定するスタッドと、前記標示プレートの周囲に設けられて、構造体に形成される塗料層に埋設される外周フランジとを備え、前記標示プレートを建築物の構造体に配置した状態で、その標示プレートの上表面が、構造体の塗料層の上表面レベルと均しいか或いは塗料層の上表面レベルよりも下方に位置するように設けられることを特徴とする。【０００９】
また、好適な実施例においては、前記外周フランジの上面は、その外周フランジの周方向に沿って形成された溝部を有するよう構成しても良い。【００１０】
なお、前記スタッドは、前記標示プレートの上表面の背面から延設されると共にこの延設方向と異なる方向に曲げられた折り曲げ部を有するように構成することも出来る。【００１１】
前記標示プレートは、ステンレスにより構成され、前記スタッドは、炭素鋼により構成されると共に炭素鋼と比較して耐腐食性の高い材料により被覆しても良い。【００１２】
前記外周フランジは床面と平行に、または傾斜を有して設定することができる。また、外周フランジを複数個前記標示プレートの周囲に設けてもよい。【００１３】
さらにまた、本発明に係るベンチマーク標示方法では、頭部の上表面が平面状に形成された皿ネジを用意し、この頭部の上表面にベンチマークを標示させ、前記皿ネジを建築物の構造体に配置した状態で、その頭部の上表面が構造体に塗布される塗料層の上表面レベルと均しいか或いは塗料層の上表面レベルよりも下方に位置するように調節して、皿ネジのネジ部を構造材に嵌入させることを特徴とする。【００１４】
本発明によれば、建築物の施工期間中に所期の設定位置が維持され、さらに、撤去作業が不要になると共に構造体の水密性が維持される。
【図面の簡単な説明】
【００１５】
【図１】第１実施形態のベンチマーク標示具を示す図であり、図1Aは断面図、図１Bは平面図。
【図２】ベンチマーク標示具が設置された床の断面図。
【図３】従来の問題に鑑みて提案されたベンチマーク標示方法の説明図。
【図４】ベンチマーク標示具の作用説明図であり、図４Aはベンチマーク標示具が設置された床の断面図、図４Bは図４AにおけるＰ部の拡大図。
【図５】第２実施形態のベンチマーク標示具を示す図であり、図５Aは断面図、図５Bは平面図。
【図６】ベンチマーク標示具が設置された床の断面図。
【図７】ベンチマーク標示具の作用説明図であり、図７Aはベンチマーク標示具が設置された床の断面図、図７Bは図７AにおけるＰ部の拡大図。
【図８】ベンチマーク標示具のバリエーションを示す図であり、図8Aは外周フランジの形状を変形した例を示す図、図8B外周フランジの数を変更した例を示す図。
【発明を実施するための最良の形態】
【００１６】
本発明に係るベンチマーク標示具およびベンチマーク標示方法の実施形態を、添付図面を参照して説明する。【００１７】
［第１実施形態］
図１は第１実施形態のベンチマーク標示具１０を示す図である。【００１８】
本実施形態のベンチマーク標示具１０は、図１Aに示すように、標示プレート１１と、スタッド１２と、外周フランジ１３と、を備える。【００１９】
ベンチマーク標示具１０の標示プレート１１は、ベンチマークの保持体であり、建築物の施工期間中に基準位置を標示する。この標示プレート１１の上表面１１Ｓには、基準レベルからの実測値、通り芯からの距離を示すケガキ線および寸法などの情報を持つベンチマークが標示される。なお、図１Bは、ベンチマークを簡略して示したものである。【００２０】
標示プレート１１は、５０ミリメートル四方に寸法設定された正方形のステンレスにより構成され、その上表面１１Ｓは平面状に形成される。この標示プレート１１の上表面１１Ｓ以外の部分に関する形状は、設計仕様に応じて設定される。標示プレート１１の材質についても特に制限はないが、ステンレスにより構成される場合は耐腐食性に優れ、ベンチマークの保持体としての機能延命に有効となる。【００２１】
ベンチマーク標示具１０の外周フランジ１３は、床などの構造体に設置されるベンチマーク標示具１０と構造体基材との境に形成される間隙を密閉するシール機能を担う。この外周フランジ１３は、図１Bに示すように、標示プレート１１の全周囲を取り囲むように設けられ、製造過程で標示プレート１１と一体的に形成される。外周フランジ１３の外郭寸法は７０ミリメートルであり、標示プレート１１の各辺から１０ミリメートル突き出すように形状設定される。なお、外周フランジ１３の形状や寸法は特に制限はないが、ベンチマーク標示具１０の外周フランジ１３は、シール機能を重視して標示プレート１１の全周囲を取り囲むように設けられたものである。【００２２】
外周フランジ１３の上表面１３Ｓから標示プレート１１の上表面１１Ｓまでの寸法は、２ミリメートルに設定される。この寸法設定は、ベンチマーク標示具１０が設置される構造体に塗布される塗料の厚みを考慮して適宜設定される。【００２３】
ベンチマーク標示具１０のスタッド１２は、標示プレート１１のうちベンチマークが標示された上表面１１Ｓの背面から延設され、床に埋め込まれて標示プレート１１を固定する。このスタッド１２は、直径８ミリメートルの丸棒に形状設定された炭素鋼により構成される。また、スタッド１２は、炭素鋼と比較して耐腐食性の高い材料により被覆しても良い。【００２４】
このスタッド１２は、図１Aに示すように、その途中位置で延設方向と異なる方向に曲げられた折り曲げ部１２ａを有する。なお、スタッド１２の寸法および形状は特に制限されない。スタッド１２の形状を途中位置で取り曲げることで、標示プレート１１の固定能が強化される。【００２５】
ベンチマーク標示具１０は、原子力発電プラントの建屋のように、水密性を考慮して構造体に塗装が行われるコンクリート製の床２０に対し設置される。【００２６】
図２はベンチマーク標示具１０が設置された床の断面図である。【００２７】
ベンチマーク標示具１０の標示プレート１１は、図２に示すように、その上表面１１Ｓが塗料層３０の上表面３０Ｓのレベルと均しくなるように設けられる。或いは、塗装による床２０の水密性を高めるために、この標示プレート１１の上表面１１Ｓが塗料層３０の上表面３０Ｓのレベルよりも下方に位置するように設けても良い。なお、図２における破線は、標示プレート１１の上表面１１Ｓが塗料層３０の上表面３０Ｓのレベルよりも下方に設けられた場合における塗料層３０の上表面３０Ｓを示したものである。塗料層３０の厚みは仕様に基づき適宜設定されるもので、本実施形態では２ミリメートル厚に設定してある。すなわち、ベンチマーク標示具１０の外周フランジ１３の上表面１３Ｓから標示プレート１１の上表面１１Ｓまでの寸法と同一寸法に設定してある。【００２８】
ベンチマーク標示具１０の外周フランジ１３は、図２に示すように、塗料層３０に設けられる。或いは、ベンチマーク標示具１０の固定機能を強化するために、この外周フランジ１３を、コンクリート製の床２０に設けても良い。なお、図２における一点鎖線は、外周フランジ１３の上表面１３Ｓが床２０の上表面２０Ｓのレベルよりも下方に設けられた場合における床２０の上表面２０Ｓ’を示したものである。【００２９】
次に、ベンチマーク標示具１０の作用を説明する。【００３０】
ここで、作用説明に入る前に本発明に至る経緯について説明する。【００３１】
従来のベンチマーク標示具は、建築物の構造体に釘やビス等の固定具を打ち込んで固定されるプレートと、その本体に着脱自在に取り付けられる情報シートとを備えて構成されている。【００３２】
その理由は、ベンチマーク標示具の設置や撤去の容易化を図る目的による。しかしながら、プレートを構造体から取り外してベンチマーク標示具を撤去する作業が必要となり、また、ベンチマーク標示具を固定する釘やビス等の固定具と構造体基材との境に間隙が形成されて構造体の水密性を損なうおそれがある。【００３３】
これに対し、皿ネジを用いたベンチマーク標示方法が提案されている。【００３４】
図３は従来の問題に鑑みて提案されたベンチマーク標示方法の説明図である。【００３５】
このベンチマーク標示方法は、ベンチマーク標示具として、頭部５１の上表面５１Ｓが平面状に形成された皿ネジ５０を用意し、この頭部５１の上表面５１Ｓにベンチマークを標示させる、というものである。このベンチマーク標示方法では、図３に示すように、皿ネジ５０を床２０に配置した状態で、その頭部５１の上表面５１Ｓが床２０の塗料層３０の上表面３０Ｓのレベルと均しくなるように調節して、ネジ部５２を床２０に嵌入させる。或いは、床２０の水密性を高めるために、頭部５１の上表面５１Ｓを、塗料層３０の上表面３０Ｓのレベルよりも下方に位置するように調節してネジ部５２を床２０に嵌入させる。なお、図３における破線は、頭部５１の上表面５１Ｓが塗料層３０の上表面３０Ｓのレベルよりも下方に設けられた場合における塗料層３０の上表面３０Ｓを示したものである。【００３６】
このベンチマーク標示方法の作用を、「固定作用」、「面一化作用」、「間隙シール作用」に分けて説明する。【００３７】
「固定作用」
ベンチマーク標示具を皿ネジ５０により構成したため、ベンチマーク標示具に対し上下方向の力が作用したとき、ネジ部５２と床２０との相互ネジ止め作用によりベンチマーク標示具が制動される。このため、ベンチマーク標示具を釘止めし或いはビス止めする場合に比べ、ベンチマーク標示具が床２０に対し強固に固定される。したがって、建築物の施工に長期間を要しても、その施工期間中にベンチマークの設定位置を維持できる。【００３８】
「面一化作用」
皿ネジ５０の頭部５１は、その上表面５１Ｓが平面状に形成される。そして、そのネジ部５２は、頭部５１の上表面５１Ｓが塗料層３０の上表面３０Ｓのレベルと均しいか或いは塗料層３０の上表面３０Ｓのレベルよりも下方に位置するように調節されて嵌入される。このため、塗装が完了したとき、ベンチマーク標示具の上表面すなわち頭部５１の上表面５１Ｓと床２０の塗料層３０の上表面３０Sが面一となる。したがって、建築物の施工に際してベンチマーク標示具が機材搬入の妨げとなったり構造体の外観品質を損なう等の理由で、施工中或いは施工完了後にベンチマーク標示具を構造体から取り外して撤去する必要がなくなる。【００３９】
「間隙シール作用」
床２０に塗布される塗料の粘着性が利用され、皿ネジ５０の頭部５１およびネジ部５２と床２０の基材との境にシール部(図４Bの100に相当) が形成される。このため、原子力プラント等の放射性物質取扱施設等、構造体に対して高い水密性が要求される建築物に対し有効なベンチマーク標示具が実現される。【００４０】
この結果、建築物の施工期間中に所期の設定位置が維持され、さらに、撤去作業が不要になると共に構造体の水密性が維持される。【００４１】
しかしながら、原子力プラント等の放射性物質取扱施設等では、ベンチマーク標示具を撤去しない場合を想定し、シール機能をさらに向上させたいという要求がある。【００４２】
本発明に係るベンチマーク標示具１０（図２参照）は、このような要求に応えることができる。【００４３】
以下、上記本発明実施例におけるベンチマーク標示具１０の「固定作用」、「面一化作用」および「間隙シール作用」を説明する。【００４４】
「固定作用」
ベンチマーク標示具１０は、標示プレート１１の上表面１１Ｓの背面から延設され、床２０に埋め込まれて標示プレート１１を固定するスタッド１２を備える。このため、ベンチマーク標示具を釘止めし或いはビス止めする場合に懸念される構造体における亀裂の発生を回避してベンチマーク標示具１０を床２０に強固できる。【００４５】
「面一化作用」
ベンチマーク標示具１０にあっては、上表面１１Ｓが平面状に形成され、この上表面１１Ｓにベンチマークが標示された標示プレート１１を備える。そして、標示プレート１１を床２０に配置した状態で、標示プレート１１の上表面１１Ｓが床２０に塗布される塗料層３０の上表面３０Ｓのレベルと均しいか或いは塗料層３０の上表面３０Ｓのレベルよりも下方に位置するように設けられる。このため、ベンチマーク標示具を皿ネジ５０（図３参照）を用いて構成する場合と同様、塗装が完了したとき、ベンチマーク標示具１０の標示プレート１１の上表面１１Ｓと床２０の上表面２０Ｓが面一となる。したがって、建築物の施工に際してベンチマーク標示具が機材搬入の妨げとなったり、構造体の外観品質を損なう等の理由で、施工中或いは施工完了後にベンチマーク標示具を構造体から取り外して撤去する必要がなくなる。【００４６】
［間隙シール作用］
図４はベンチマーク標示具１０の作用説明図であり、図４Aはベンチマーク標示具１０が設置された床の断面図、図４Bは図４AにおけるＰ部の拡大図である。【００４７】
図４Bにおいて、矢印Ｄ１は外周フランジ１３を備えないベンチマーク標示具１０を床２０に設置した場合における浸入水の経路を示す。矢印Ｄ２は外周フランジ１３を備えたベンチマーク標示具１０を床２０に設置した場合における浸入水の経路を示す。ベンチマーク標示具１０にあっては、標示プレート１１の周囲に設けられて塗料層３０に埋設される外周フランジ１３を備える。【００４８】
例えば、原子力プラント等の放射性物質取扱施設等では、塗料層３０の上表面３０Ｓに付着した放射性物質を洗浄する際などの目的で、この上表面３０Ｓの清掃が行われることがある。この際、外周フランジ１３を備えないベンチマーク標示具１０にあっては、ベンチマーク標示具１０と塗料層３０の境に形成される間隙から放射性物質を含んだ洗浄水が浸入し、比較的空隙率の高いコンクリート製の床基材の深部まで移行するおそれがある。その結果として、施設の建屋内外における放射性物質汚染が懸念される。【００４９】
これに対し、外周フランジ１３を備えたベンチマーク標示具１０にあっては、塗料層３０と外周フランジ１３との境に間隙のシール部１００が形成される。すなわち、床２０に塗布される塗料の粘着性を利用したベンチマーク標示具１０のシール作用が、外周フランジ１３を設けることにより強化される。このため、例えば、原子力発電プラントのフロア洗浄に際し、放射性物質を含む洗浄水が塗料層３０の上表面３０Ｓから床２０の基材深部まで移行する速度が遅延し、放射性物質が捕捉されやすいものとなる。【００５０】
次に、ベンチマーク標示具１０の効果を説明する。【００５１】
(1) 上表面１１Ｓが平面状に形成されて、この上表面１１Ｓにベンチマークが標示された標示プレート１１と、標示プレート１１の上表面１１Ｓの背面から延設されて、床２０に埋め込まれて標示プレート１１を固定するスタッド１２と、標示プレート１１の周囲に設けられて塗料層３０に埋設される外周フランジ１３とを備え、標示プレート１１を床２０に配置した状態で、標示プレート１１の上表面１１Ｓが床２０に形成される塗料層３０の上表面３０Ｓのレベルと均しいか或いは塗料層３０の上表面３０Ｓのレベルよりも下方に位置するように設けられる。このため、建築物の施工期間中に所期の設定位置が維持され、さらに、撤去作業が不要になると共に構造体の水密性が維持される。【００５２】
(2) さらに、ベンチマーク標示具１０のスタッド１２は、標示プレート１１の上表面１１Ｓの背面から延設されると共にこの延設方向と異なる方向に曲げられた折り曲げ部１２ａを有する。このため、ベンチマーク標示具１０に対し上下方向の力が作用した場合、この折り曲げ部１２ａが、床２０の基材にひっかかるようにして制動される。したがって、折り曲げ部１２ａを備えない場合に比べて固定作用が強化される。【００５３】
［第２実施形態］
第２実施形態は、第１実施形態のベンチマーク標示具１０における外周フランジ１３の構成を変形した例である。なお、第１実施形態と同様の構成は、対応する構成に同一符号を付して説明を省略し、第１実施形態の構成を変更し或いは新たに追加した構成は、符号末尾に「Ａ」を付して説明する。【００５４】
図５は第２実施形態のベンチマーク標示具１０Ａを示す図であり、図５Aは断面図、図５Bは平面図である。【００５５】
ベンチマーク標示具１０Ａの外周フランジ１３Ａは、図５A及び図５Bに示すように、外周フランジ１３Ａの上表面１３ＳＡにおいて外周フランジ１３Ａの周方向に沿った溝部１５Ａが形成される。この溝部１５Ａの形状は任意に設定できる。例えば、耐応力性を考慮して滑らかに湾曲させるよう形状設定しても良い。また、溝部１５Ａは必ずしも外周フランジ１３Ａの全周囲に至り形成する必要はない。ベンチマーク標示具１０Ａの外周フランジ１３Ａにあっては、間隙のシール作用を強化するために、外周フランジ１３Ａの全周囲に至り溝部１５Ａを形成したものである。【００５６】
図６はベンチマーク標示具１０Ａが設置された床２０の断面図である。【００５７】
ベンチマーク標示具１０Ａの外周フランジ１３Ａは、図６に示すように、塗料層３０に埋設されて設けられる。或いは、ベンチマーク標示具１０Ａの固定機能を強化するために、この外周フランジ１３Ａを、コンクリート製の床２０に埋設させて設けても良い。なお、図６における一点鎖線は、外周フランジ１３の上表面１３Ｓが床２０の上表面２０Ｓのレベルよりも下方に設けられた場合における床２０の上表面２０Ｓを示したものである。【００５８】
次に、ベンチマーク標示具１０Ａの作用を説明する。【００５９】
図７はベンチマーク標示具１０Ａの作用説明図であり、図７Aはベンチマーク標示具１０Ａが設置された床２０の断面図、図７BはそのＰ部の拡大図である。【００６０】
図７Bにおいて、矢印Ｄ３は外周フランジを備えないベンチマーク標示具を床２０に設置した場合における浸入水の経路を示す。矢印Ｄ４は外周フランジ１３Ａを備えたベンチマーク標示具１０Ａを床２０に設置した場合における浸入水の経路を示す。【００６１】
外周フランジ１３Ａを備えたベンチマーク標示具１０Ａにあっては、塗料層３０と外周フランジ１３Ａとの境にシール部１００Ａが形成される。そして、外周フランジ１３Ａに溝部１５Ａが形成される。このため、溝部１５Ａが形成されない場合と比較して外周フランジ１３Ａと塗料層３０との密着面積が増加する。すなわち、第１実施形態と比較して、床２０に塗布される塗料の粘着性を利用したシール作用が向上する。なお、他の作用は第１実施形態と同様であるので説明を省略する。【００６２】
次に、ベンチマーク標示具１０の効果を説明する。【００６３】
ベンチマーク標示具１０Ａにあっては、第１実施形態の(1)および(2)の効果に加え、下記の効果を得ることができる。【００６４】
(3) ベンチマーク標示具１０Ａの外周フランジ１３Ａの上面に、外周フランジ１３Ａの周方向に沿った溝部１５Ａを形成した。このため、シール作用が向上し、構造体の水密性を良好に維持してベンチマーク標示具１０Ａを設置できる。【００６５】
以上、本発明に係るベンチマーク標示具を第１実施形態および第２実施形態に基づき説明してきたが、具体的な構成については、これらの実施形態に限られるものではなく、特許請求の範囲の各請求項に係る発明の要旨を逸脱しない限り、設計の変更や追加等は許容される。【００６６】
図８はベンチマーク標示具のバリエーションを示す図であり、図8Aは外周フランジの形状を変形した例を示す図、図8B外周フランジの数を変更した例を示す図である。【００６７】
本実施形態では、ベンチマーク標示具の外周フランジは床面と平行に傾き設定した例を示したが、外周フランジの形状等は特に限定されない。図８Aに示すように、標示プレート１１と外周フランジ１３Ｂとで断面台形状になるように形状設定しても良い。この構成によれば、ベンチマーク標示具１０Ｂの加工成形の容易化に有利である。【００６８】
また、本実施形態では、１つのベンチマーク標示具に対し外周フランジを１つ設ける例を示したが、外周フランジの数は制限されない。例えば、ベンチマーク標示具の間隙シール作用および固定作用を強化するため、図８Bに示すように、１つのベンチマーク標示具１０Ｃに対し外周フランジ１３Ｃを２つ設けるようにしても良い。なお、さらに多くの外周フランジを設けることもできる。【００６９】
また、本実施形態では、ベンチマーク標示具のスタッドは、一方向に曲げられた折り曲げ部を有する例を示したが、スタッドの形状は制限されない。例えば、ベンチマーク標示具の固定能を強化するため、先端に複数の方向に折り曲げても良いし、スタッドの数を増加させても良い。
【図１】
2009119625.tif 000003
【図２】
2009119625.tif 000004
【図３】
2009119625.tif 000005
【図４】
2009119625.tif 000006
【図５】
2009119625.tif 000007
【図６】
2009119625.tif 000008
【図７】
2009119625.tif 000009
【図８】
2009119625.tif 000010
【国際調査報告】
2009119625.tif 000011
2009119625.tif 000012
2009119625.tif 000013
2009119625.tif 000014